(57)【特許請求の範囲】
【請求項１】
座部、背もたれ、並びに、前記座部及び背もたれを所定の高さで支持する脚部を備えた座席構造であって、
前記座部が、座部用クッション部材と、前記座部用クッション部材を支持するクッション部材支持機構とを有して構成され、
前記座部用クッション部材から下方に離間した位置において、前記脚部に支持されて幅方向に沿って設けられる支軸と、
前記クッション部材支持機構を、前記支軸の外周面に沿って回動可能に連結する回動用連結部材と
を有し、
前記座部用クッション部材が、前後方向の中途で分割された構造であると共に、その分割位置が、前記支軸回りを回動する回動用連結部材の回転中心の直上又はその前方に設定され、前記座部が、前記座部用クッション部材及び前記クッション部材支持機構と共に前傾方向に回動可能であり、
前記クッション部材支持機構が、
前記座部用クッション部材の下面を支持する面状部材と、
前後方向に所定間隔をおいて略平行に配置され、前記面状部材が掛け渡され、前記面状部材との間で摩擦力を生じさせて前記面状部材を支持する前部フレーム及び後部フレームと、
前記面状部材に連結され、前記座部用クッション部材の下方への変位に応じて伸縮動作し、弾性力又は減衰力のいずれか少なくとも一方の機能を発揮する面状部材用伸縮部材と
を有して構成されることを特徴とする座席構造。
【請求項２】
前記座部用クッション部材の前記分割位置は、前記回動用連結部材の回転中心の直上よりも前方に設定される場合、前記直上から前記回動用連結部材の回転半径に相当する長さに至るまでの範囲に設定される請求項１記載の座席構造。
【請求項３】
前記前部フレームから下方に離間した位置に、前記前部フレームに略平行に配置される下部フレームをさらに有し、
前記面状部材が、前記前部フレーム、前記後部フレーム及び前記下部フレームに掛け回され、前記後部フレームの上側から掛け回された端縁部と前記下部フレームの下側から掛け回された端縁部との間に前記面状部材用伸縮部材が掛け渡されている請求項１又は２記載の座席構造。
【請求項４】
前記背もたれ又は前記脚部のうち、前記座部の後方に位置する部位と、前記クッション部材支持機構との間に、前傾角度を規制するように伸縮動作し、弾性力又は減衰力のいずれか少なくとも一方の機能を発揮する前傾規制用伸縮部材が掛け渡されている１〜３のいずれか１に記載の座席構造。
【請求項５】
前記背もたれに、高さ調整可能な背当て部材が設けられている請求項１〜４のいずれか１に記載の座席構造。
【請求項６】
複数列の観覧席が配置されてなる観覧席の配置構造であって、
座部、背もたれ、並びに、前記座部及び背もたれを所定の高さで支持する脚部を備え、前記座部及び背もたれが前後にスライドする第１の座席構造と、
座部及び背もたれが前後にスライドせず、座部の前傾方向への回動機能を備えた第２の座席構造と
が組み合わせて用いられ、
前列の観覧席として前記第１の座席構造が配置され、後列の観覧席として前記第２の座席構造が配置されていることを特徴とする観覧席の配置構造。
【請求項７】
前記第２の座席構造は、
前記座部が、座部用クッション部材と、前記座部用クッション部材を支持するクッション部材支持機構とを有して構成され、
前記座部用クッション部材から下方に離間した位置において、前記脚部に支持されて幅方向に沿って設けられる支軸と、
前記クッション部材支持機構を、前記支軸の外周面に沿って回動可能に連結する回動用連結部材と
を有し、
前記座部用クッション部材が、前後方向の中途で分割された構造であると共に、その分割位置が、前記支軸回りを回動する回動用連結部材の回転中心の直上又はその前方に設定され、前記座部が、前記座部用クッション部材及び前記クッション部材支持機構と共に前傾方向に回動可能である請求項６記載の観覧席の配置構造。
【請求項８】
前記第２の座席構造として、前記請求項１〜５のいずれか１に記載の座席構造が用いられる請求項６記載の観覧席の配置構造。
【請求項９】
前記第１の座席構造は、
前後方向の中途で分割された構造の座部用クッション部材と、
前後方向に所定間隔をおいて略平行に配置される前部フレーム及び後部フレームと、
前記前部フレーム及び後部フレーム間に掛け渡され、前記座部用クッション部材の下面を支持する面状部材と、
前記面状部材に連結され、前記座部用クッション部材の下方への変位に応じて伸縮動作し、弾性力又は減衰力のいずれか少なくとも一方の機能を発揮する面状部材用伸縮部材と
を備えてなる請求項６〜８のいずれか１に記載の観覧席の配置構造。
【発明の詳細な説明】
【技術分野】
【０００１】
本発明は、スポーツを行うスタジアム、体育館、映画館その他の劇場などにおいて、複数列設置される観覧席として適する座席構造及びこの座席構造を用いた観覧席の配置構造に関する。
【背景技術】
【０００２】
野球、サッカーなどを行うスポーツスタジアムのスタンドなどで使用される観覧用の椅子は、数百席から数万席というように多数設置されるため、安価に製造可能なものが多く用いられている。例えば、硬質プラスチック製で、背もたれが座部に対して略９０度で立ち上がっただけのシンプルな形状のものである。
【０００３】
一方、本発明者は、特許文献２に示したように、三次元立体編物を用いた乗物用シートを各種提案している。
【先行技術文献】
【特許文献】
【０００４】
【特許文献１】特開２００４−１４７７７２号公報
【特許文献２】ＷＯ２００２／０９１８８１号公報
【発明の概要】
【発明が解決しようとする課題】
【０００５】
上記のようにスタジアムでの観覧用の座席は、多数設置されるものであるため、コンパクトかつ低コストで製造可能なものである。すなわち、座部に略直角に背もたれが配置された単純な作業椅子をベースにしたもので、それらの多くは一般席用であり、ＶＩＰ席、特別席などと称される観覧席ではそれらとは異なる構造のものが用いられる。基本的には、座部及び背もたれに、厚手のウレタン製クッション部材を装填した安楽椅子のようなものである。しかし、このように単にゆったりと着座することだけを考慮した椅子は、必ずしも観戦に適しているとは言い難い。ＶＩＰ席等といえども、スタジアムでの観戦等に適していることが重要であり、特に、観戦に適した感情と姿勢を保ち易いという意味での座り心地ないしは掛け心地を確保することが大切である。また、ＶＩＰ席等にもいくつかのタイプがあり、一般の観覧席と同様に、複数列、ひな壇状に配置されるタイプも多い。但し、ＶＩＰ席等の場合、複数列配置されるとしても、足下スペースは一般席よりも広く確保されているため、一般席と比較すれば少ない段数となるのが通常であり、スタジアム全体の収容人数も考慮して、２段〜数段の範囲で設置されることが多い。その一方、前列（グラウンド又は通路等に面して最前列）と比較して後列（２列目以降）では、足下スペースが狭くなりがちであり、また、前列にもてなされる側の招待客が着席し、後列にもてなす側の招待者が着席するような場合、後列では、着座者の前を通過しての人の出入りの頻度が高く、ゆったりとした座り心地を確保しつつも、所定の通行スペースを確保する必要もある。
【０００６】
その一方、試合観戦に夢中になると着座者は、背もたれに背をつけたリラックス姿勢から、背を背もたれから離しての前傾姿勢になり易く、座面の前縁寄りに着座するような姿勢をとりがちである。また、立ち上がったりすることもある。つまり、試合観戦中は、このような姿勢変化も頻繁に起きるため、姿勢変化の助けとなる機能を有することが望ましい。
【０００７】
また、特許文献２に示された三次元立体編物は、軽量、薄型でありながらクッション性、保温性、通気性に富む。厚手のウレタン製クッション部材の場合、臀部の沈み込み量が大きくなりがちで、観戦に夢中になった際の前傾姿勢をとりにくく、また、立ち上がり性も損なう。この点、三次元立体編物は、所定以上の面積で押圧されると高い剛性を示すといった特性を有し、薄型でも人体をしっかりと支持できると共に、部分的に強い反力で押圧することがなく、スタジアムの観覧席のクッション部材として適している。
【０００８】
本発明は上記に鑑みなされたものであり、安定した姿勢でゆったりと着座できると共に、重心移動による姿勢変化への追従性が高く、眼下で行っている試合の観戦用等として適し、また、足下スペースの通行も容易に行うことができる座席構造を提供することを課題とする。また、本発明は、かかる座席構造を複数列ひな壇状に配置される観覧席の後列に利用した観覧席の配置構造を提供することを課題とする。
【課題を解決するための手段】
【０００９】
上記課題を解決するため、本発明の座席構造は、座部、背もたれ、並びに、前記座部及び背もたれを所定の高さで支持する脚部を備えた座席構造であって、前記座部が、座部用クッション部材と、前記座部用クッション部材を支持するクッション部材支持機構とを有して構成され、前記座部用クッション部材から下方に離間した位置において、前記脚部に支持されて幅方向に沿って設けられる支軸と、前記クッション部材支持機構を、前記支軸の外周面に沿って回動可能に連結する回動用連結部材とを有し、前記座部用クッション部材が、前後方向の中途で分割された構造であると共に、その分割位置が、前記支軸回りを回動する回動用連結部材の回転中心の直上又はその前方に設定され、前記座部が、前記座部用クッション部材及び前記クッション部材支持機構と共に前傾方向に回動可能であることを特徴とする。
【００１０】
前記座部用クッション部材の前記分割位置は、前記回動用連結部材の回転中心の直上よりも前方に設定される場合、前記直上から前記回動用連結部材の回転半径に相当する長さに至るまでの範囲に設定されることが好ましい。
前記クッション部材支持機構が、前記座部用クッション部材の下面を支持する面状部材と、前後方向に所定間隔をおいて略平行に配置され、前記面状部材が掛け渡され、前記面状部材との間で摩擦力を生じさせて前記面状部材を支持する前部フレーム及び後部フレームと、前記面状部材に連結され、前記座部用クッション部材の下方への変位に応じて伸縮動作し、弾性力又は減衰力のいずれか少なくとも一方の機能を発揮する面状部材用伸縮部材とを有して構成されることが好ましい。
前記前部フレームから下方に離間した位置に、前記前部フレームに略平行に配置される下部フレームをさらに有し、前記面状部材が、前記前部フレーム、前記後部フレーム及び前記下部フレームに掛け回され、前記後部フレームの上側から掛け回された端縁部と前記下部フレームの下側から掛け回された端縁部との間に前記面状部材用伸縮部材が掛け渡されていることが好ましい。
前記背もたれ又は前記脚部のうち、前記座部の後方に位置する部位と、前記クッション部材支持機構との間に、前傾角度を規制するように伸縮動作し、弾性力又は減衰力のいずれか少なくとも一方の機能を発揮する前傾規制用伸縮部材が掛け渡されていることが好ましい。
前記背もたれに、高さ調整可能な背当て部材が設けられていることが好ましい。
【００１１】
本発明の観覧席の配置構造は、複数列の観覧席が配置されてなる観覧席の配置構造であって、座部、背もたれ、並びに、前記座部及び背もたれを所定の高さで支持する脚部を備え、前記座部及び背もたれが前後にスライドする第１の座席構造と、座部及び背もたれが前後にスライドせず、座部の前傾方向への回動機能を備えた第２の座席構造とが組み合わせて用いられ、前列の観覧席として前記第１の座席構造が配置され、後列の観覧席として前記第２の座席構造が配置されていることを特徴とする。
【００１２】
前記第２の座席構造として、前記いずれかの座席構造が用いられることが好ましい。
前記第１の座席構造は、前後方向の中途で分割された構造の座部用クッション部材と、前後方向に所定間隔をおいて略平行に配置される前部フレーム及び後部フレームと、前記前部フレーム及び後部フレーム間に掛け渡され、前記座部用クッション部材の下面を支持する面状部材と、前記面状部材に連結され、前記座部用クッション部材の下方への変位に応じて伸縮動作し、弾性力又は減衰力のいずれか少なくとも一方の機能を発揮する面状部材用伸縮部材とを備えてなる構成であることが好ましい。
【発明の効果】
【００１３】
本発明の座席構造は、座部が、回動用連結部材を介して、座部用クッション部材の下方に配置された支軸の外周面回りを回動可能に支持されていると共に、座部用クッション部材は、前後方向の中途で分割された構造であると共に、その分割位置が、回動用連結部材の回転中心の直上又はその前方に設定されている。そのため、着座者が、前方側に体重をかければ、容易に前傾方向に所定角度回動する。スタジアムの観覧席等においては、観覧対象を見下ろす形式であるため、従来の座席では、試合等に夢中になると、座部の前縁寄りに浅く腰掛けるような姿勢になりがちである。しかしながら、本発明によれば、重心が前縁寄りになると所定角度前方に回動して座部が前傾するため、観戦中の着座者の感情、気分に沿った姿勢をとりやすく、観覧しやすい。また、座部用クッション部材が、前後に分割された構造であり、荷重が入ると分割位置を中心として下方に変位して略凹状になり、着座者の重心が移動しても、尻滑りが生じにくい。それにより、本発明の座席構造は、安定した着座姿勢が得られ、スタジアム等における観覧席用として適している。
【００１４】
本発明の座席構造は、座部が前傾方向に回動するため、観戦に夢中になっても座部の前縁付近まで臀部をずらす必要がない。前縁付近に臀部をずらすと膝位置が前方に突出し、着座者の手前を移動する人の妨げになる。しかし、本発明の座席構造は、前傾方向に回動することで上記のように観戦に適した姿勢をとることができ、臀部及び膝位置を前方にずらす必要がないため、通行スペースを広く確保できる。スタジアム等の観覧席は、一般に、最前列（グラウンド等に面して最前列）の場合、着座者の手前を通行する人は、最前列に着座している人のみであり、２列目以降と比較して、人の通行は少ない。また、最前列は、足下スペースを比較的広くとることが可能である。この点は、一般席でも同様であるが、特に、ＶＩＰ席や特別席と称されるグレードの高い席では、ひな壇１段あたりの奥行きスペースが広い設計となっている。そこで、このような席の最前列には、広い設置スペースを必要とするものの、ゆったりと着座できる座部及び背もたれが前後にスライドできる座席構造を配置し、その後列の観覧席には、上記した座部が前傾方向に回動する座席構造を配置することが好ましい。座部が前傾方向に回動することで、姿勢変化への追従性が高く、また、膝位置が前方に突出することも少ないため、着座者の手前の通行スペースを比較的広くとることができ、後列の観覧席用として適している。従って、よりゆったりと着座できる前後にスライドする座席構造を用いた前列の観覧席を招待客に提供し、招待者側がその後列の観覧席に着座することで、招待客をもてなしつつ、招待者側もリラックスした姿勢で観戦を楽しむことができる。
【図面の簡単な説明】
【００１５】
【図１】図１は、本発明の一の実施形態に係る座席構造を示した正面図である。
【図２】図２は、非着座時における図１のＡ−Ａ線断面図である。
【図３】図３は、着座時における図１のＡ−Ａ線断面図である。
【図４】図４は、座部が前傾した状態の図１のＡ−Ａ線断面図である。
【図５】図５は、座部の構造を説明するための分解斜視図である。
【図６】図６は、クッション部材支持機構の構造を説明するための分解斜視図である。
【図７】図７は、図１〜図６の実施形態に係る座部及び背もたれの組を脚部を介して複数組連設した構成の斜視図である。
【図８】図８は、図７の分解斜視図である。
【図９】図９は、前列（特に最前列）の観覧席用として適する座席構造の実施形態を示した正面図である。
【図１０】図１０は、非着座時における図９のＡ−Ａ線断面図である。
【図１１】図１１は、着座時における図９のＡ−Ａ線断面図である。
【図１２】図１２は、図９〜図１１の実施形態に係る座部及び背もたれの組を脚部を介して複数組連設した構成の斜視図である。
【図１３】図１３は、図１２の分解斜視図である。
【図１４】図１４は、前列の観覧席に設置される第１の座席構造として適する図１０〜図１１の実施形態に係る座席構造と、後列の観覧席に設置される第２の座席構造として適する図１〜図６の実施形態に係る座席構造とを組み合わせた配置構造を示す平面図である。
【図１５】図１５は、図１４に示した配置構造において、前列では座部を前方にスライドさせない状態で、後列では座部を前傾させない状態で着座しているときの各座席構造の側面図である。
【図１６】図１６は、図１４に示した配置構造において、前列では座部を前方にスライドさせた状態で、後列では座部を前傾させた状態で着座しているときの各座席構造の側面図である。
【発明を実施するための形態】
【００１６】
以下、図面に示した実施形態に基づき、本発明をさらに詳細に説明する。本実施形態の座席構造１は、座部１０、背もたれ２０及び脚部３０を有して構成される。なお、図１では、座部１０及び背もたれ２０一組に対し、両側に脚部３０，３０がそれぞれ配設されている態様を示しているが、図７及び図８に示したように、座部１０及び背もたれ２０の組を脚部３０を介して複数組連設した構成とし、隣接する組間に配置される脚部３０を左右の着座者で共用する構成とすることもできる。
【００１７】
座部１０は、座部用クッション部材１１とクッション部材支持機構１２とを有して構成され、クッション部材支持機構１２が、脚部３０，３０によって支持される。脚部３０，３０は、設置面から所定の高さを有する略長方形に形成され、座部１０を支持すると共に、座部１０よりも上方位置まで突出しており、その上部がアームレスト部３１，３１となっている。
【００１８】
一対の脚部３０，３０の高さ方向略中央部から上方であってそれらの後部間には、背もたれ２０が支持されている。具体的には、各側部２１ａ，２１ａが、各脚部３０，３０の後部寄りの位置に固定されると共に、幅方向略中央部２１ｂが各側部２１ａ，２１ａより後方となる位置に固定され、後方に湾曲した形状となるように設けられた板状の背もたれ用フレーム２１を有し、この背もたれ用フレーム２１に背もたれ用クッション部材２２が支持されている。背もたれ用クッション部材２２は、所定厚さの立体布帛、好ましくは三次元立体編物を１枚又は複数枚積層して用いたもので、背もたれ用フレーム２１の正面と、背もたれ用フレーム２１の周縁部を被覆するように配設され、その表面が表皮材２３で被覆される。なお、表皮材２３としては、本実施形態の座席構造１をＶＩＰ席用等とする場合には、高級感を示すために通気性のある本革を用いることが好ましい。
【００１９】
背もたれ２０には、クッション部材、好ましくは三次元立体編物を本革等の表皮材で被覆した略長方形の背当て部材２４を高さ調整可能に設けることが好ましい。高さ調整可能に支持する手段は任意であるが、本実施形態では、表皮材２３に縦方向にファスナー２３ａを設け、このファスナー２３ａのスライダーに背当て部材２４を連結し、背当て部材２４を上下に移動させればスライダーがファスナー２３ａに沿って上下動して高さ調整可能となっている。このような背当て部材２４を設けることにより、着座者の体格や好みにあわせて位置調整でき、より楽な姿勢を保ちやすくなり、長時間の観戦、観覧に役立つ。
【００２０】
ここで、座部１０についてさらに詳細に説明する。まず、座部用クッション部材１１を支持するクッション部材支持機構１２の構成を説明する。クッション部材支持機構１２は、図２、図５及び図６に示したように、所定間隔をおいて座部１０の両側部に相当する位置に配設され、所定の幅及び長さを有し、全体として略方形に形成された２枚の板状体１２１，１２１を備えている。２枚の板状体１２１，１２１間の上部において、座部１０の前縁側に掛け渡される前部フレーム１２２が掛け渡され、前部フレーム１２２に対して後方に所定間隔をおいて、前部フレーム１２２と略平行に後部フレーム１２３が掛け渡され、さらに、前部フレーム１２２に対して下方に所定間隔をおいて、前部フレーム１２２と略平行に下部フレーム１２４が掛け渡されている。前部フレーム１２２、後部フレーム１２３及び下部フレーム１２４は、このように配設される結果、側面から見て下部フレーム１２４を頂点とした略三角形状をなしている。
【００２１】
また、各板状体１２１，１２１には、下部フレーム１２４の取り付け位置よりも若干後方斜め上寄りであって、前部フレーム１２２及び後部フレーム１２３を結ぶ仮想線よりも下方に所定間隔離間した位置に、略半円状の切り欠き部１２１ａ，１２１ａが形成され、この切り欠き部１２１ａ，１２１ａ間に回動用連結部材１２５を構成する一方の半環状部１２５ａが掛け渡されて固定されている。回動用連結部材１２５は、図５に示した他方の半環状部１２５ｂと共に用いられ、後述の支軸３２を挟んでフランジ１２５ａ１，１２５ｂ１同士を近接させてボルト１２５ｃによって連結することで環状を形成する。
【００２２】
ここで、隣接する脚部３０，３０間の所定の高さの位置には、脚部３０，３０間を跨る支軸３２が配設される。支軸３２は、中実又はパイプ状で、外周面形状が断面円形となるように形成されている。本実施形態のように、支軸３２の外周面を、ドライベアリング等の摩擦係数の低い摺動部材３３で被覆することが好ましい。なお、図８に示したように、座部１０及び背もたれ２０の組を脚部３０を介して複数組連設した構成の場合には、支軸３２を複数組に跨る長さで共通のものとし、摺動部材３３と回動用連結部材１２５を各組に対応して設ける構成とすることができる。
【００２３】
このようにして配設されるため、回動用連結部材１２５に支持されたクッション部材支持機構１２全体が、摺動部材３３を介して支軸３２の外周面回りを回動する。すなわち、回動用連結部材１２５の回転中心Ｃ（支軸３２の軸心）から外周面までの回転半径相当分、離間した位置で作動するため、着座者の重心の変位に追従する方向に回動しやすい。
【００２４】
支軸３２の後方に所定間隔をおいて、隣接する脚部３０，３０間に後部支持フレーム３４が掛け渡されている。各板状体１２１，１２１の略半円状の切り欠き部１２１ａ，１２１ａの後方に、下方に突出するストッパ部材１２６，１２６が設けられており、このストッパ部材１２６，１２６が後部支持フレーム３４に当接可能となっている。図２及び図３に示したように、座部１０が前傾していない状態では、ストッパ部材１２６，１２６が後部支持フレーム３４に当接して支持され、図４に示したように、座部１０が前傾すると、後部支持フレーム３４からストッパ部材１２６，１２６が離間する。
【００２５】
各板状体１２１，１２１間において、後部フレーム１２３とストッパ部材１２６，１２６との間には、高さを異ならせて２本の補強フレーム１２７，１２８が掛け渡されている。このうち上側に配置された補強フレーム（以下、「上側補強フレーム」）１２７には、断面Ｌ字状の連結部材１２７ａが係合され、この連結部材１２７ａにコイルバネからなる前傾規制用伸縮部材１２９の一端が係合されている（図５及び図６参照）。前傾規制用伸縮部材１２９の他端は、座部１０の後方に位置する背もたれ用フレーム２１の下部において前方に突出する折り曲げ片２１ａに係合される（図２参照）。この前傾規制用伸縮部材１２９により、クッション部材支持機構１２は、前傾動作した際の前傾角度が規制され、さらに、ストッパ部材１２６，１２６が後部支持フレーム３４に当接する方向に速やかに復帰させる力が作用する。なお、水平状態を基準とした座部１０の表面（座面）の最大前傾角度が、２〜８度の範囲となるように設定することが好ましい。また、前傾規制用伸縮部材１２９は、本実施形態のようにコイルスプリング等、弾性力を作用させながら前傾角度を規制するものであってもよいが、伸縮動作するピストンを備えたダンパ等、減衰力を作用させながら前傾角度を規制するものを用いることもできる。また、両者を組み合わせた構成とすることも可能である。
【００２６】
前部フレーム１２２、後部フレーム１２３及び下部フレーム１２４には、面状部材１３０が掛け回される。面状部材１３０は、二次元又は三次元の布帛から構成される。座部用クッション部材１１の下方への変位を許容するため、面状部材１３０は、荷重によって面方向に伸縮する構成であることが好ましい。面方向に伸縮させるために、本実施形態では、二次元の布帛からなる面状部材１３０を、後部フレーム１２３の上側及び前部フレーム１２２の上側を通過するように掛け回し、さらに、前部フレーム１２２から下部フレーム１２４の下側を通過するように掛け回すと共に、後部フレーム１２３の上側を通過して下方に向かう一方の端縁部１３０ａと、下部フレーム１２４の下側を通過して上方に向かわせる他方の端縁部１３０ｂとの間にコイルバネからなる面状部材用伸縮部材１３１を配設し、各端縁部１３０ａ，１３０ｂを接続している。従って、人が着座して座部用クッション部材１１上に荷重がかかると、前部フレーム１２２と後部フレーム１２３との間に位置する面状部材１３０の上面部１３０ｃが初期位置から下方に変位すると共に、面状部材用伸縮部材１３１が伸長する。人が立ち上がると面状部材用伸縮部材１３１が収縮し、面状部材１３０の上面部１３０ｃが初期位置に復帰する。また、面状部材用伸縮部材１３１は、本実施形態のようにコイルスプリング等、弾性力を作用させながら伸長して面状部材１３０の変位を吸収するものであってもよいが、伸縮動作するピストンを備えたダンパ等、減衰力を作用させながら面状部材１３０の変位を吸収するものを用いることもでき、さらに、両者を組み合わせた構成とすることも可能である。
なお、下部フレーム１２４の下側を通過させた面状部材１３０は、回動用連結部材１２５を構成する一方の半環状部１２５ａの上面側を通過するように設けられる（図５参照）。このため、面状部材１３０には、前部フレーム１２２、後部フレーム１２３及び下部フレーム１２４との間で摩擦力が作用し、さらに、一方の半管状部１２５ａとの間でも摩擦力が作用する。従って、座部用クッション部材１１は、これらの摩擦力に、上記の面状部材用伸縮部材１３１の弾性力又は減衰力が組み合わさって支持される。また、下部フレーム１２４の下側を通過して一方の半管状部１２５ａを通過する手前において、面状部材１３０は、一方の半管状部１２５ａの手前側に突出するフランジ１２５ａ１に接触し、屈曲部１３０ｄにおいて、略く字状に屈曲した後、一方の半管状部１２５ａの上面に接している（図５及び図６参照））。この略く字状に屈曲した屈曲部１３０ｄが、面状部材用伸縮部材１３１の伸縮時の固定端なる。
【００２７】
面状部材用伸縮部材１３１を用いる場合、本実施形態のように、後部フレーム１２３側に掛け回された端縁部１３０ａと、下部フレーム１２４側に掛け回された端縁部１３０ｂ間に斜めに設けることが好ましい。この配設位置は、図２〜図４等に示したように、人が着座する座部用クッション部材１１の下面に位置する面状部材１３０の上面部１３０ｃからは所定の距離離間した位置であり、人が着座した際に、コイルスプリングからなる面状部材用伸縮部材１３１の異物感を感じさせることがない。
【００２８】
なお、面状部材１３０として、弾性糸を含み、必要な伸縮性と耐久性が備わっているものであれば、面状部材用伸縮部材１３１は必ずしも必須ではない。
【００２９】
座部用クッション部材１１は、クッション部材支持機構１２の面状部材１３０の上面部１３０ｃ上に配設される。本実施形態では、面状部材１３０の上面部１３０ｃに下面が支持されるビーズ発泡体からなる下層クッション部材１１１と、下層クッション部材１１１上に積層される三次元立体編物からなる中層クッション部材１１２と、中層クッション部材１１２上に積層される三次元立体編物からなる上層クッション部材１１３との積層構造から構成される。座部用クッション部材１１の素材は限定されるものではなく、薄手のウレタン材等を用いることもできるが、所定以上の面積で押圧されると高い剛性を示すといった特性を有し、薄型でも人体をしっかりと支持できると共に、部分的に強い反力で押圧することがないため、いずれか少なくとも一つの層には三次元立体編物を用いることが好ましい。ビーズ発泡体からなる下層クッション部材１１１は、三次元立体編物を用いた中層クッション部材１１２及び上層クッション部材１１３よりもバネ定数が高く、負荷の荷重の支持感を高める機能を果たす。
【００３０】
下層クッション部材１１１、中層クッション部材１１２及び上層クッション部材１１３は、いずれも、座部１０の前後方向中途から（分割位置Ａ）前後に２分割され、前部下層クッション部材１１１ａ、前部中層クッション部材１１２ａ及び前部上層クッション部材１１３ａからなる前部座部用クッション部材１１ａと、後部下層クッション部材１１１ｂ、後部中層クッション部材１１２ｂ及び後部上層クッション部材１１３ｂからなる後部座部用クッション部材１１ｂとなっている（図５参照）。なお、前部上層クッション部材１１３ａは、前縁側において、前部フレーム１２２から下部フレーム１２４に向かって延びており、この延びている部分（クッション部材延長部）１１３ｃで、着座者の膝裏からふくろはぎにかけての当たり感を軽減する。クッション部材延長部１１３ｃと面状部材１３０との間には、さらに三次元立体編物、薄手のウレタン材あるいはビーズ発泡体等からなる補助クッション部材１１４が装填され、クッション性をさらに高めている。
【００３１】
座部用クッション部材１１は、さらに、上層クッション部材１１３の上面を覆う表皮材１１５が配設されている。本実施形態では、前部座部用クッション部材１１ａと後部座部用クッション部材１１ｂとに２分割されているため、表皮材１１５は、それぞれの上面を被覆すると共に、前部座部用クッション部材１１ａと後部座部用クッション部材１１ｂとの分割位置Ａの間隙に、引き込み部１１５ａが引き込まれている。表皮材１１５は、図５に示したように、前部座部用クッション部材１１ａと後部座部用クッション部材１１ｂとの上面だけでなく、座部１０の前部、下部、後部の全てを被覆し、内部構造が外部に露出しないようにしている。具体的には、前部に位置するクッション部材延長部１１３ｃの表面を被覆して、下部フレーム１２４に掛け回され、さらに、後方に位置する下側補強フレーム１２８に掛け回されて、全体を被覆するようにしている。表皮材１１５の素材は限定されるものではないが、本実施形態の座席構造１をＶＩＰ席用とする場合には、高級感を出すため、通気性のある本革を用いることが好ましい。
【００３２】
ここで、本実施形態の座部１０の分割位置Ａは、上記した支軸３２の外周面を回動する回動用連結部材１２５の回転中心Ｃの直上又はその前方となる位置に設定される（図２及び図３参照）。分割位置Ａを回転中心Ｃの直上よりも前方に設定する場合、回動用連結部材１２５の回転中心Ｃから外周面までの回転半径に相当する長さに至るまでの範囲に設定することが好ましい。回動用連結部材１２５の外周面の回転軌道の範囲に位置することで、座部１０の前傾方向への回動及び復帰方向への回動が円滑になされる。
【００３３】
また、本実施形態の座席構造１は、後列の観覧席として配置するのに備え、座部１０の高さを高めに設定している。そのため、脚部３０，３０における下端から所定高さの位置には、足置き３６を取り付けている。足置き３６を取り付けることで、着座者の脚部は、大腿部と膝下部との角度が鋭角となるため、膝裏からふくろはぎが座部１０の前部フレーム１２２の下方部位に接しやすくなるが、本実施形態では、上記のようにクッション部材延長部１１３ｃを設けているため、やわらかな当たり感となる。
【００３４】
本実施形態の座席構造１は、人が着座する前の状態では、図２に示したように、座部１０の表面（座面）はほぼ平坦になっている。人が着座すると、その体重によって、座部用クッション部材１１が下方に押圧される。本実施形態では、分割位置Ａを境に、前部座部用クッション部材１１ａと後部座部用クッション部材１１ｂとに分割されているため、図３に示したように、分割位置Ａが最も下方に変位し、前部座部用クッション部材１１ａは分割位置Ａから前方に向かうほど高くなる傾斜がつき、後部座部用クッション部材１１ｂは分割位置Ａから後方に向かうほど高くなる傾斜がついた略凹状に沈み込む。
【００３５】
面状部材１３０は、座部用クッション部材１１のこの動きに伴って、面状部材用伸縮部材１３１が伸長し、座部用クッション部材１１と同じく、分割位置Ａに対応する部位が最も下方となるように変位する。これにより着座者は、最も沈み込んだ位置で重心が支えられることになり、座部１０の座面前方が高くなるため、背を背もたれ２０につけてゆったりとした状態で着座しても臀部の前滑りがおきにくい安定した着座姿勢をとることができる。
【００３６】
なお、前部座部用クッション部材１１ａを構成する前部下層クッション部材１１１ａ、前部中層クッション部材１１２ａ及び前部上層クッション部材１１３ａの各前端部、並びに、後部座部用クッション部材１１ｂを構成する後部下層クッション部材１１１ｂ、後部中層クッション部材１１２ｂ及び後部上層クッション部材１１３ｂの各後端部は、いずれも、表皮材１１５に押さえられているものの、前部フレーム１２２又は後部フレーム１２３に固定されていない自由端となった構成であることが好ましい。これにより、着座時における分割位置Ａから、前部座部用クッション部材１１ａの前端部方向への傾斜、及び、後部座部用クッション部材１１ｂの後端部方向への傾斜が確実に生じることになり、着座姿勢の安定性が向上する。
【００３７】
眼下で行われている試合等の観戦に夢中になって、着座者の体が前傾し、重心が前方寄りとなると、図４に示したように、クッション部材支持機構１２の回動用連結部材１２５が、支軸３２の外周面回りを前方に回動し、座部１０全体が、前傾方向に回動する。この状態でも、座部用クッション部材１１は、分割位置Ａが最も下方に変位しているため、臀部の前滑りは生じにくいままであり、前傾状態でも安定した着座姿勢を確保できる。前傾方向に回動すると、コイルバネからなる前傾規制用伸縮部材１２９が所定長さ伸長して前傾角度が規制される。また、離席する際も、座部１０が前傾動作することにより、立ち上がりやすくなる。
【００３８】
本実施形態の座席構造１は、座部１０の分割位置Ａが最も下方に変位して臀部を支持すると共に、座部１０が前傾動作することにより、着座姿勢の安定化、試合等の観戦時における感情に対応した人の動きへの追従性、離席ないし立ち上がり性等の向上を図っている。つまり、座部１０の動きとして、例えば、前後スライド機能を有していないにも拘わらず、限られた設置スペースで快適な座り心地を提供できる。従って、本実施形態の座席構造１は、ひな壇状に配置されるＶＩＰ席等における後列の観覧席として用いるのに好適である。例えば、招待客をもてなす側の招待者が着座する場合、招待者は招待客への接待のため、招待客よりも頻繁に、離席し、他の着座者の前を通過することも多い。この点、本実施形態の座席構造１は、限られた設置スペースで済むため、着座者の前を人が通過することも容易である。その一方で、快適な座り心地を提供できることから、ＶＩＰ席等における後列の観覧席として適している。
【００３９】
本実施形態の座席構造１は、ＶＩＰ席等において後列よりもスペースの広い前列（グラウンド等に面して最前列）に用いることももちろん可能である。しかしながら、前列は、設置スペースが比較的広いことと、もてなされる側の招待客が利用することが多いことから、よりゆったりと着座できる座席構造１０００を用いることができる。例えば、観戦に夢中になった場合には、座部１１００及び背もたれ１２００を前方にスライドさせて観戦できるような座席構造１０００を用いることができる。そして、この座部１１００及び背もたれ１２００を前後にスライドできる座席構造１０００を前列の観覧席に設置される第１の座席構造として用い、上記実施形態に係る、座部１０及び背もたれ２０が前後にスライドせず、座部１０の前傾方向への回動機能を備えた座席構造１を後列の観覧席に設置される第２の座席構造として用いることにより、ＶＩＰ席等において、招待客及び招待者が使用するのに適した観覧席の配置構造とすることができる。
【００４０】
前列の観覧席に設置される第１の座席構造として適する座席構造１０００の実施形態を図９〜図１１に基づいて説明する。この座席構造１０００は、座部１１００、背もたれ１２００及び左右の脚部１３００，１３００を有して構成される。左右の脚部１３００，１３００間に、支持フレーム１３１０，１３１０が前後に間隔をおいて配設されており、この支持フレーム１３１０，１３１０にスライダ１４００のロアレール１４１０，１４１０が幅方向に所定間隔をおいて取り付けられている。ロアレール１４１０，１４１０に沿って摺動するアッパーレール１４２０，１４２０が設けられており、このアッパーレール１４２０，１４２０に、座部１１００の座部フレーム１１１０を構成する両側のサイドフレーム１１１１，１１１１が連結される。スライダ１４００には、ロアレール１４１０，１４１０に対してアッパーレール１４２０，１４２０を所望の位置でロックするロック機構１４３０が設けられ、このロック機構１４３０を操作する操作レバー１４４０が座部１１００の前縁部下方に突出するように設けられている。
【００４１】
座部フレーム１１１０は、幅方向に配設される前部フレーム１１１２と、前部フレーム１１１２に後方に所定間隔をおいて配設される後部フレーム１１１３とを有しており、前部フレーム１１１２及び後部フレーム１１１３間に上記実施形態と同様の二次元の布帛等からなる面状部材１１２０が掛け渡されている。面状部材１１２０は、前部フレーム１１１２及び後部フレーム１１１３間に上側から掛け回され、下側に位置する端縁部間にコイルスプリングからなる面状部材用伸縮部材１１２１が掛け渡されている。
【００４２】
面状部材１１２０には、上記実施形態と同様に座部用クッション部材１１３０が支持されている。この座部用クッション部材１１３０も、ビーズ発泡体からなる下層クッション部材１１３１と、下層クッション部材１１３１上に積層される三次元立体編物からなる中層クッション部材１１３２と、中層クッション部材１１３２上に積層される三次元立体編物からなる上層クッション部材１１３３との積層構造から構成され、いずれも、座部１１００の前後方向中途の分割位置Ａから、上記実施形態と同様に、前後に２分割されている。座部用クッション部材１１３０の表面は表皮材１１４０により被覆されている。
【００４３】
座部フレーム１１１０には、板状の背もたれフレーム１２１０が連結されている。背もたれ１２００は、この背もたれフレーム１２１０に支持される上記実施形態と同様の三次元立体編物等の背もたれ用クッション部材１２２０と、その表面に設けられる表皮材１２３０とを有して構成される。また、上記実施形態と同様に、高さ調整可能な背当て部材１２４０が設けられている。
【００４４】
本実施形態においても、人が着座すると、図１１に示したように、座部用クッション部材１１３０が沈み込むが、このとき、分割位置Ａが最も下方に変位し、前方及び後方に向かうほど座面が高くなるように略凹状に変形する。従って、着座者の重心位置が安定し、臀部の前滑り等がおきにくく、ゆったりとした安定した着座姿勢を保つことができる。また、試合等に夢中になって前方に移動したい場合には、スライダ１４００の操作レバー１４４０を操作してロックを解除し、臀部を前方にずれす。それにより、座部１１００及び背もたれ１２００が前方に移動する。従って、眼下での試合等を覗き込むように観戦することも可能となる。なお、本実施形態の座席構造１０００も、図１２及び図１３に示したように、座部１１００及び背もたれ１２００の組を複数、脚部１３００を介して併設することも可能であり、この場合、スライダ１４００を支持する支持フレーム１３１０，１３１０が各組に跨るように設けられる。
【００４５】
本実施形態の座席構造１０００は、スライダ１４００を有するため、座部１１００及び背もたれ１２００を前後にスライドさせて、好みの位置で試合等の観戦をでき、設置スペースの広い前列の観覧席用として適している。そして、後列の観覧席には、上記実施形態の座席構造１を配置し、両者を組み合わせた配置構造とすることで、ＶＩＰ席等において、もてなされる側の招待客はゆったりとした姿勢で好みの位置で観戦をすることができる一方で、もてなす側の招待者も限られたスペースの中で、十分ゆったりと好みの姿勢で観戦できる。また、上記実施形態の座席構造１は、立ち上がり動作も容易であるため、後列の観覧席用として適する。従って、前列の観覧席に設置される第１の座席構造として適する本実施形態の座席構造１０００と、後列の観覧席に設置される第２の座席構造として適する上記実施形態の座席構造１とを組み合わせた配置構造は、ＶＩＰ席等における観覧席用配置構造として適している。図１４〜図１６はその配置構造の一例を示している。図１４は、前列左側の座席構造１０００において、座部１１００及び背もたれ１２００を前方にスライドさせ、その他の座席構造１０００はスライドさせずに後方に位置させた状態を平面から見た図である。図１５は、前列の座席構造１０００では座部１１００及び背もたれ１２００を後方に位置させ、後列の座席構造１では座部１０を前傾させずに着座した状態を示している。図１６は、前列左側の座席構造１０００では座部１１００及び背もたれ１２００を前方にスライドさせ、後列の座席構造１では座部１０を前傾させて着座した状態を示している。
【符号の説明】
【００４６】
１，１０００  座席構造
１０，１１００  座部
１１，１１３０  座部用クッション部材
１２  クッション部材支持機構
１２１  板状体
１２２，１１１２  前部フレーム
１２３，１１１３  後部フレーム
１２４  下部フレーム
１２５  回動用連結部材
１２９  前傾規制用伸縮部材
１３０，１１２０  面状部材
１３１，１１２１  面状部材用伸縮部材
２０，１２００  背もたれ
３０，１３００  脚部
３２  支軸
３３  摺動部材
【図１】
0006490452.tif 000002
【図２】
0006490452.tif 000003
【図３】
0006490452.tif 000004
【図４】
0006490452.tif 000005
【図５】
0006490452.tif 000006
【図６】
0006490452.tif 000007
【図７】
0006490452.tif 000008
【図８】
0006490452.tif 000009
【図９】
0006490452.tif 000010
【図１０】
0006490452.tif 000011
【図１１】
0006490452.tif 000012
【図１２】
0006490452.tif 000013
【図１３】
0006490452.tif 000014
【図１４】
0006490452.tif 000015
【図１５】
0006490452.tif 000016
【図１６】
0006490452.tif 000017